(57)【要約】【課題】  より確実にメンテナンスの対象となる電力供給線の充電、非充電状態を検出することができる電力監視システム、開閉装置、電力監視システム用プログラムおよび電力監視方法を提供する。【解決手段】  電力を供給する第１の電力供給線９１の電圧を検出する第１の電圧検出部２２ａと、第１の電力供給線９１に、一次側を接続された開閉器２１と、開閉器２１の二次側に接続された第２の電力供給線９２の電圧を検出する第２の電圧検出部２２ｂと、第１の電圧検出部２２ａ、第２の電圧検出部２２ｂから送信された信号に基づき、第１の電力供給線９１の電圧、第２の電力供給線９２の電圧、および開閉器２１の開路状態、閉路状態を出力する電力監視装置３と、を有する。【選択図】  図１
2019154130.tif 000002
【特許請求の範囲】
【請求項１】
電力を供給する第１の電力供給線の電圧を検出する第１の電圧検出部と、
前記第１の電力供給線に、一次側を接続された開閉器と、
前記開閉器の二次側に接続された第２の電力供給線の電圧を検出する第２の電圧検出部と、
前記第１の電圧検出部、前記第２の電圧検出部から送信された信号に基づき、前記第１の電力供給線の電圧、前記第２の電力供給線の電圧、および前記開閉器の開路状態、閉路状態を出力する電力監視装置と、
を有する電力監視システム。
【請求項２】
電力監視装置は、前記第１の電圧検出部からの信号が送信される第１の伝送線、前記第２の電圧検出部からの信号が送信される第２の伝送線の電圧のうち少なくとも一方を検出し、検出した電圧が所定の電圧以下であると判断した場合に、警報信号を出力する、
請求項１に記載の電力監視システム。
【請求項３】
電力監視装置は、前記第１の電圧検出部、前記第２の電圧検出部から送信された信号に基づき、前記開閉器が閉路状態であり、前記第１の電力供給線の電圧が所定の電圧以上であり、かつ前記第２の電力供給線の電圧が所定の電圧以下であると判断した場合に、警報信号を出力する、
請求項１または２に記載の電力監視システム。
【請求項４】
前記第１の電圧検出部からの信号、前記第２の電圧検出部からの信号のうち少なくとも一方の信号が、電力供給線の電圧に重畳され送信される、
請求項１乃至３のいずれか１項に記載の電力監視システム。
【請求項５】
電力を供給する第１の電力供給線の電圧を検出する第１の電圧検出部と、
前記第１の電力供給線に、一次側を接続された開閉器と、
前記開閉器の二次側に接続された第２の電力供給線の電圧を検出する第２の電圧検出部と、
前記第１の電圧検出部、前記第２の電圧検出部から送信された信号に基づき、前記第１の電力供給線の電圧、前記第２の電力供給線の電圧、および前記開閉器の開路状態、閉路状態を出力する出力部、
を有する開閉装置。
【請求項６】
前記第１の電圧検出部からの信号が送信される第１の伝送線、前記第２の電圧検出部からの信号が送信される第２の伝送線の電圧のうち少なくとも一方を検出し、検出した電圧が所定の電圧以下であると判断した場合に、警報信号を出力する、
請求項５に記載の開閉装置。
【請求項７】
前記第１の電圧検出部、前記第２の電圧検出部から送信された信号に基づき、前記開閉器が閉路状態であり、前記第１の電力供給線の電圧が所定の電圧以上であり、かつ前記第２の電力供給線の電圧が所定の電圧以下であると判断した場合に、警報信号を出力する、
請求項５または６に記載の開閉装置。
【請求項８】
前記第１の電圧検出部からの信号、前記第２の電圧検出部からの信号のうち少なくとも一方の信号が、電力供給線の電圧に重畳され送信される、
請求項５乃至７のいずれか１項に記載の開閉装置。
【請求項９】
開閉器の一次側に接続された第１の電力供給線の電圧を検出する第１の電圧検出ステップと、
前記開閉器の二次側に接続された第２の電力供給線の電圧を検出する第２の電圧検出ステップと、
前記第１の電圧検出ステップ、前記第２の電圧検出ステップにより検出された信号に基づき、前記第１の電力供給線の電圧、前記第２の電力供給線の電圧、および前記開閉器の開路状態、閉路状態を出力する出力ステップと、
を有する電力監視システム用プログラム。
【請求項１０】
開閉器の一次側に接続された第１の電力供給線の電圧を検出する第１の電圧検出手順と、
前記開閉器の二次側に接続された第２の電力供給線の電圧を検出する第２の電圧検出手順と、
前記第１の電圧検出手順、前記第２の電圧検出手順により検出された信号に基づき、前記第１の電力供給線の電圧、前記第２の電力供給線の電圧、および前記開閉器の開路状態、閉路状態を出力する出力手順と、
を有する電力監視方法。
【発明の詳細な説明】
【技術分野】
【０００１】
本実施形態は電力供給線の監視を行う電力監視システム、開閉装置、電力監視システム用プログラムおよび電力監視方法に関する。
【背景技術】
【０００２】
電力系統には、電力供給線および電力供給線の電力を遮断する開閉器が設置される。電力供給線の充電、非充電状態を示すシステムが知られている。
【先行技術文献】
【特許文献】
【０００３】
【特許文献１】特開２０１５−１５９６５４公報
【発明の概要】
【発明が解決しようとする課題】
【０００４】
電力系統の電力供給線は、事故発生時や定期点検時にメンテナンスが行われる。作業者の安全を確保するため、電力供給線のメンテナンスは、メンテナンスの対象となる電力供給線が非充電状態となるように、電力供給線に接続された開閉器を開路状態にして行われる。
【０００５】
しかしながら、意図しない電力の回り込みや開閉器の動作不良により、メンテナンスの対象となる電力供給線が、充電状態となる場合があった。作業者の意図に反し、電力系統の電力供給線が充電状態となる場合があるとの問題点があった。
【０００６】
本実施形態は、より確実にメンテナンスの対象となる電力供給線の充電、非充電状態を検出することができる電力監視システム、開閉装置、電力監視システム用プログラムおよび電力監視方法を提供することを目的とする。
【課題を解決するための手段】
【０００７】
本実施形態の電力監視システムは、次のような構成を有することを特徴とする。
（１）電力を供給する第１の電力供給線の電圧を検出する第１の電圧検出部。
（２）前記第１の電力供給線に、一次側を接続された開閉器。
（３）前記開閉器の開路状態、閉路状態を検出する開閉検出部。
（４）前記開閉器の二次側に接続された第２の電力供給線の電圧を検出する第２の電圧検出部。
（５）前記第１の電圧検出部、前記開閉検出部、前記第２の電圧検出部から送信された信号に基づき、前記第１の電力供給線の電圧、前記第２の電力供給線の電圧、前記開閉器の開路状態、閉路状態を出力する電力監視装置。
【図面の簡単な説明】
【０００８】
【図１】第１実施形態にかかる電力監視システムを示す図
【図２】第１実施形態にかかる電力監視システムの開閉装置を示す図
【図３】第１実施形態にかかる電力監視システムの電力監視装置を示す図
【図４】第１実施形態にかかる電力監視装置のプログラムのフローを示す図
【図５】第１実施形態にかかる電力監視システムの表示例を示す図
【図６】他の実施形態にかかる開閉装置を示す図
【発明を実施するための形態】
【０００９】
［第１実施形態］
［１−１．構成］
図１〜３を参照して本実施形態の一例としての電力監視システムについて説明する。
【００１０】
（１）システムの全体構成
本電力監視システム１は、開閉装置２、電力監視装置３を有する。開閉装置２と電力監視装置３は、伝送線７１ａ、７１ｂおよび伝送線７２により接続される。伝送線７１ａが請求項における第１の伝送線に、伝送線７１ｂが請求項における第２の伝送線に相当する。
【００１１】
開閉装置２は、電源側の電力供給線９１と負荷側の電力供給線９２の間に、電気的に直列に配置される。電力供給線９１が請求項における第１の電力供給線に、電力供給線９２が請求項における第２の電力供給線に相当する。
【００１２】
開閉装置２は、電力供給線９１と電力供給線９２を電気的に開閉する開閉器２１を有する。また、開閉装置２は、電力供給線９１の電圧、電力供給線９２の電圧を検出し、電力監視装置３に送信する。開閉装置２は、開閉器２１の開路状態、閉路状態を検出し、電力監視装置３に送信する。
【００１３】
電力監視装置３は、開閉装置２により検出された電力供給線９１の電圧、電力供給線９２の電圧、開閉器２１の開路状態、閉路状態を出力する。
【００１４】
本実施形態において、同一構成の装置や部材が複数ある場合にはそれらについて同一の番号を付して説明を行い、また、同一構成の個々の装置や部材についてそれぞれを説明する場合に、共通する番号にアルファベットの添え字を付けることで区別する。後述する電圧検出部２２ａ、２２ｂは同じ構成を有する。
【００１５】
本電力監視システム１において、以下の信号、データが作成または送受信される。
検出電圧データＶａ：電力供給線９１の電圧に関するデータ
検出電圧データＶｂ：電力供給線９２の電圧に関するデータ
開閉検出信号Ｕ：開閉器２１の開路状態、閉路状態を示す信号
警報信号Ａ１：電力供給線９２が異常通電状態であることを警告する警報信号
警報信号Ａ２：検出電圧データＶａまたはＶｂが無信号状態であることを警告する警報信号
【００１６】
（２）開閉装置２の構成
開閉装置２は、電力供給線９１と電力供給線９２を電気的に開閉する装置である。また、開閉装置２は、電力供給線９１の電圧、電力供給線９２の電圧を検出し、電力監視装置３に送信する。開閉装置２は、開閉器２１の開路状態、閉路状態を検出し、電力監視装置３に送信する。開閉装置２は、電源側の電力供給線９１と負荷側の電力供給線９２の間に、電気的に直列に配置される。
【００１７】
開閉装置２は、開閉器２１、電圧検出部２２ａ、電圧検出部２２ｂ、開閉検出部２３を有する。電圧検出部２２ａが請求項における第１の電圧検出部に、電圧検出部２２ｂが請求項における第２の電圧検出部に相当する。
【００１８】
（開閉器２１）
開閉器２１は、電流の開閉を行うコンタクタ、リレーまたはパワーエレクトロニクス半導体素子のような開閉素子により構成される。開閉器２１は、開閉装置２を構成する筐体の内部に配置される。開閉器２１は、一次側が電源側の電力供給線９１に、二次側が負荷側の電力供給線９２に接続される。
【００１９】
開閉器２１は、作業者による人手作業または電力監視装置からの遠隔制御（図中不示）により開路状態、閉路状態となる。開閉器２１は、閉路状態時に電力供給線９１と電力供給線９２を電気的に導通し、電源からの電力を二次側に供給する。開閉器２１は、開路状態時に電力供給線９１と電力供給線９２を電気的に遮断し、電源からの電力の二次側への供給を停止する。
【００２０】
（電圧検出部２２ａ、２２ｂ）
電圧検出部２２ａは、電源側の電力供給線９１の電圧を検出し電力監視装置３へ送信する。電圧検出部２２ｂは、負荷側の電力供給線９２の電圧を検出し電力監視装置３へ送信する。電圧検出部２２ａ、２２ｂは、開閉装置２を構成する筐体の内部に配置される。
【００２１】
電圧検出部２２ａは、測定部２２１ａ、送信部２２２ａを有する。同様に電圧検出部２２ｂは、測定部２２１ｂ、送信部２２２ｂを有する。電圧検出部２２ａ、２２ｂは同じ構成を有する。
【００２２】
測定部２２１ａは、アナログディジタル変換用の半導体回路により構成される。測定部２２１ａは、入力側が電力供給線９１に、出力側が送信部２２２ａに接続される。測定部２２１ａは、電力供給線９１の電圧値を所定周期でサンプリングし、ディジタル値に変換し送信部２２２ａに出力する。
【００２３】
同様に、測定部２２１ｂは、入力側が電力供給線９２に、出力側が送信部２２２ｂに接続され、電力供給線９２の電圧値を所定周期でサンプリングし、ディジタル値に変換し送信部２２２ｂに出力する。
【００２４】
送信部２２２ａは、電力線搬送の送受信回路により構成される。送信部２２２ａは、入力側が測定部２２１ａに、出力側が伝送線７１ａを介し電力監視装置３に接続される。送信部２２２ａは、測定部２２１ａによりディジタル値に変換された電力供給線９１の電圧値が入力される。送信部２２２ａは、このディジタル値に変換された電力供給線９１の電圧値を検出電圧データＶａとして、電力線搬送通信にて電力監視装置３に送信する。
【００２５】
送信部２２２ａは、検出電圧データＶａを電力供給線９１の電圧に重畳させ、電力監視装置３に送信する。電力供給線９１の電圧は交流電圧または直流電圧である。電力供給線９１が停電等により非充電状態である時も、検出電圧データＶａは、電力供給線９１の電圧に重畳され電力監視装置３に送信される。電力供給線９１の電圧は、低圧であることが望ましい。
【００２６】
同様に送信部２２２ｂは、測定部２２１ｂによりディジタル値に変換された電力供給線９２の電圧値が入力される。送信部２２２ｂは、このディジタル値に変換された電力供給線９２の電圧値を検出電圧データＶｂとして、電力線搬送通信にて電力監視装置３に送信する。
【００２７】
送信部２２２ｂは、検出電圧データＶｂを電力供給線９２の電圧に重畳させ、電力監視装置３に送信する。電力供給線９２の電圧は交流電圧または直流電圧である。電力供給線９２が停電等により非充電状態である時も、検出電圧データＶｂは、電力供給線９２の電圧に重畳され電力監視装置３に送信される。電力供給線９２の電圧は、低圧であることが望ましい。
【００２８】
（開閉検出部２３）
開閉検出部２３は、開閉器２１の開路状態、閉路状態を検出し電力監視装置３へ送信する。開閉検出部２３は、開閉装置２を構成する筐体の内部に配置される。
【００２９】
開閉検出部２３は、判別部２３１、送信部２３２を有する。
【００３０】
判別部２３１は、抵抗測定回路等により構成される。判別部２３１は、入力側が開閉器２１に、出力側が送信部２３２に接続される。判別部２３１は、開閉器２１の一次側接点と二次側接点との間の抵抗値を所定周期で測定し、抵抗値が予め設定された数値未満である場合に開閉器２１が閉路状態であると判別する。また、判別部２３１は、抵抗値が予め設定された数値以上である場合に開閉器２１が開路状態であると判別する。判別部２３１は、判別した開閉器２１の開路状態、閉路状態を示す信号を送信部２３２に出力する。
【００３１】
送信部２３２は、ローカル通信の送受信回路により構成される。送信部２３２は、入力側が判別部２３１に、出力側が伝送線７２を介し電力監視装置３に接続される。送信部２３２は、判別部２３１により判別された開閉器２１の開路状態、閉路状態を示す信号が入力される。送信部２３２は、この開閉器２１の開路状態、閉路状態を示す信号を開閉検出信号Ｕとして、ローカル通信にて電力監視装置３に送信する。
【００３２】
（３）電力監視装置３の構成
電力監視装置３は、コンピュータ等により構成される。電力監視装置３は、電力の監視制御を行う電力監視制御盤等に組込まれ制御室等に配置される。電力監視装置３は、伝送線７１ａ、７１ｂおよび伝送線７２により開閉装置２に接続される。
【００３３】
電力監視装置３は、伝送線７１ａ、７１ｂおよび伝送線７２を介し、開閉装置２から検出電圧データＶａ（電力供給線９１の電圧に関するデータ）、検出電圧データＶｂ（電力供給線９２の電圧に関するデータ）、開閉検出信号Ｕ（開閉器２１の開路状態、閉路状態を示す信号）を受信する。電力監視装置３は、電力供給線９１の電圧、電力供給線９２の電圧、開閉器２１の開路状態、閉路状態を出力する。
【００３４】
電力監視装置３は、受信部３１、監視部３２、出力部３３、警報出力部３４、制御部３５を有する。
【００３５】
（受信部３１）
受信部３１は、開閉装置２から検出電圧データＶａ、検出電圧データＶｂ、開閉検出信号Ｕを受信する回路である。受信部３１は、電力線搬送通信およびローカル通信の送受信回路により構成される。受信部３１の入力側は、伝送線７１ａを介し電圧検出部２２ａに、伝送線７１ｂを介し電圧検出部２２ｂに、伝送線７２を介し開閉検出部２３に接続される。受信部３１の出力側は、制御部３５に接続される。
【００３６】
受信部３１は、電圧検出部２２ａから伝送線７１ａを介し、電力供給線９１の電圧に重畳させた電力線搬送通信にて送信された検出電圧データＶａを受信し、制御部３５に出力する。受信部３１は、電圧検出部２２ｂから伝送線７１ｂを介し、電力供給線９２の電圧に重畳させた電力線搬送通信にて送信された検出電圧データＶｂを受信し、制御部３５に出力する。受信部３１は、開閉検出部２３から伝送線７２を介し、ローカル通信にて送信された開閉検出信号Ｕを受信し、制御部３５に出力する。
【００３７】
（監視部３２）
監視部３２は、開閉装置２から送信された検出電圧データＶａ、検出電圧データＶｂにかかる通信信号の有無を検出する回路である。監視部３２は、電圧検出回路等により構成される。監視部３２の入力側は、伝送線７１ａを介し電圧検出部２２ａに、伝送線７１ｂを介し電圧検出部２２ｂに接続される。受信部３１の出力側は、制御部３５に接続される。
【００３８】
監視部３２は、伝送線７１ａを介し電圧検出部２２ａから受信した検出電圧データＶａにかかる通信信号の電圧を測定し、検出電圧データＶａにかかる通信信号の有無を制御部３５に出力する。また、監視部３２は、伝送線７１ｂを介し電圧検出部２２ｂから受信した検出電圧データＶｂにかかる通信信号の電圧を測定し、検出電圧データＶｂにかかる通信信号の有無を制御部３５に出力する。
【００３９】
（出力部３３）
出力部３３は、電力供給線９１の電圧、電力供給線９２の電圧、開閉器２１の開路状態、閉路状態を出力する装置である。出力部３３は、液晶パネルのような表示装置および、またはマイクロコンピュータのポート等からなる電文送受信回路により構成される。出力部３３は、表示および、または電文により、電力供給線９１の電圧、電力供給線９２の電圧、開閉器２１の開路状態、閉路状態を出力する。
【００４０】
（警報出力部３４）
警報出力部３４は、警報音、警報表示による警報信号を出力する警報装置により構成される。制御部３５により、検出電圧データＶａが充電状態、検出電圧データＶｂが充電状態、かつ開閉検出信号Ｕが開路状態であると判断された場合、警報信号Ａ１（電力供給線９２が異常通電状態であることを警告する警報信号）が警報出力部３４に対し出力される。警報出力部３４は、制御部３５から送信された警報信号Ａ１に基づき、警報音、警報表示により警報を出力する。
【００４１】
また、制御部３５により、検出電圧データＶａにかかる通信信号または検出電圧データＶｂにかかる通信信号が無信号状態であると判断された場合、警報信号Ａ２（検出電圧データＶａまたはＶｂが無信号状態であることを警告する警報信号）が警報出力部３４に対し出力される。警報出力部３４は、制御部３５から送信された警報信号Ａ２に基づき、警報音、警報表示により警報を出力する。
【００４２】
（制御部３５）
制御部３５は、マイクロコンピュータにより構成される。制御部３５は、後述するコンピュータプログラムを内蔵する。制御部３５は、受信部３１、監視部３２、出力部３３、警報出力部３４に接続される。制御部３５は、以下の演算および制御を行う。
【００４３】
（Ａ）受信部３１に対する制御
制御部３５は、受信部３１を制御し、開閉装置２から検出電圧データＶａ、検出電圧データＶｂ、開閉検出信号Ｕを受信する。
【００４４】
制御部３５は、受信部３１を制御し、電圧検出部２２ａから伝送線７１ａを介し、電力供給線９１の電圧に重畳させ電力線搬送通信にて送信された検出電圧データＶａを受信する。制御部３５は、受信部３１を制御し、電圧検出部２２ｂから伝送線７１ｂを介し、電力供給線９２の電圧に重畳させ電力線搬送通信にて送信された検出電圧データＶｂを受信する。制御部３５は、受信部３１を制御し、開閉検出部２３から伝送線７２を介し、ローカル通信にて送信された開閉検出信号Ｕを受信する。
【００４５】
（Ｂ）監視部３２に対する制御
制御部３５は、監視部３２を制御し、開閉装置２から送信された検出電圧データＶａ、検出電圧データＶｂにかかる通信信号の有無を検出する。
【００４６】
制御部３５は、監視部３２を制御し、伝送線７１ａを介し電圧検出部２２ａから受信した検出電圧データＶａにかかる通信信号の電圧を測定させ、検出電圧データＶａにかかる通信信号の有無を判別する。また、制御部３５は、監視部３２を制御し、伝送線７１ｂを介し電圧検出部２２ｂから受信した検出電圧データＶｂにかかる通信信号の電圧を測定させ、検出電圧データＶｂにかかる通信信号の有無を判別する。
【００４７】
（Ｃ）出力部３３に対する制御
制御部３５は、出力部３３を制御し、電力供給線９１の電圧、電力供給線９２の電圧、開閉器２１の開路状態、閉路状態を出力する。
【００４８】
（Ｄ）警報出力部３４に対する制御
制御部３５は、警報出力部３４を制御し、警報音、警報表示により警報信号を出力する。検出電圧データＶａが充電状態で検出電圧データＶｂが充電状態、かつ開閉検出信号Ｕが開路状態であると判断した場合、制御部３５は、警報出力部３４に対し警報信号Ａ１（電力供給線９２が異常通電状態であることを警告する警報信号）を出力する。警報出力部３４は、制御部３５から送信された警報信号Ａ１に基づき、警報音、警報表示により警報を出力する。
【００４９】
また、検出電圧データＶａにかかる通信信号または検出電圧データＶｂにかかる通信信号が無信号状態であると判断した場合、制御部３５は、警報出力部３４に対し警報信号Ａ２（検出電圧データＶａまたはＶｂが無信号状態であることを警告する警報信号）を出力する。警報出力部３４は、制御部３５から送信された警報信号Ａ２に基づき、警報音、警報表示により警報を出力する。
【００５０】
［１−２．作用］
次に、本実施形態の電力監視システム１の作用を、図１〜図５に基づき説明する。
【００５１】
［Ａ．開閉装置２の動作］
最初に、開閉装置２の動作を説明する。開閉装置２は、電力供給線９１と電力供給線９２を電気的に開閉する。また、開閉装置２は、電力供給線９１の電圧、電力供給線９２の電圧を検出し、電力監視装置３に送信する。開閉装置２は、開閉器２１の開路状態、閉路状態を検出し、電力監視装置３に送信する。
【００５２】
開閉装置２の開閉器２１は、閉路状態時に電力供給線９１と電力供給線９２を電気的に導通し、電源からの電力を二次側に供給する。開閉器２１は、開路状態時に電力供給線９１と電力供給線９２を電気的に遮断し、電源からの電力の二次側への供給を停止する。開閉器２１は、作業者による人手作業または電力監視装置からの遠隔制御（図中不示）により開路状態、閉路状態となる。
【００５３】
電圧検出部２２ａは、電源側の電力供給線９１の電圧を、随時検出し電力監視装置３へ送信する。電圧検出部２２ａの測定部２２１ａは、電力供給線９１に供給された交流電力または直流電力の電圧値を所定周期でサンプリングし、ディジタル値に変換し送信部２２２ａに出力する。電力供給線９１は、交流送電用、直流送電用いずれの電力供給に用いられるものであってもよい。
【００５４】
電圧検出部２２ａの送信部２２２ａは、測定部２２１ａによりディジタル値に変換された電力供給線９１の電圧値を検出電圧データＶａとして、電力線搬送通信にて所定周期で電力監視装置３に送信する。送信部２２２ａは、検出電圧データＶａを電力供給線９１に供給された交流電力または直流電力の電圧に重畳させ、伝送線７１ａを介し電力監視装置３に送信する。電力供給線９１が停電等により非充電状態である時も、検出電圧データＶａは、電力供給線９１の電圧に重畳され電力監視装置３に送信される。
【００５５】
電圧検出部２２ｂは、負荷側の電力供給線９２の電圧を、随時検出し電力監視装置３へ送信する。電圧検出部２２ｂの測定部２２１ｂは、電力供給線９２に供給された交流電力または直流電力の電圧値を所定周期でサンプリングし、ディジタル値に変換し送信部２２２ｂに出力する。電力供給線９２は、交流送電用、直流送電用いずれの電力供給に用いられるものであってもよい。
【００５６】
電圧検出部２２ｂの送信部２２２ｂは、測定部２２１ｂによりディジタル値に変換された電力供給線９２の電圧値を検出電圧データＶｂとして、電力線搬送通信にて所定周期で電力監視装置３に送信する。送信部２２２ｂは、検出電圧データＶｂを電力供給線９２に供給された交流電力または直流電力の電圧に重畳させ、伝送線７１ｂを介し電力監視装置３に送信する。電力供給線９２が停電等により非充電状態である時も、検出電圧データＶｂは、電力供給線９２の電圧に重畳され電力監視装置３に送信される。
【００５７】
開閉検出部２３は、開閉器２１の開路状態、閉路状態を随時検出し電力監視装置３へ送信する。
【００５８】
開閉検出部２３の判別部２３１は、開閉器２１の一次側接点と二次側接点との間の抵抗値を所定周期で測定し、抵抗値が予め設定された数値未満である場合に開閉器２１が閉路状態であると判別する。また、判別部２３１は、抵抗値が予め設定された数値以上である場合に開閉器２１が開路状態であると判別する。判別部２３１は、判別した開閉器２１の開路状態、閉路状態を示す信号を送信部２３２に出力する。
【００５９】
開閉検出部２３の送信部２３２は、判別部２３１から開閉器２１の開路状態、閉路状態を示す信号を受信し、この開閉器２１の開路状態、閉路状態を示す信号を開閉検出信号Ｕとして、伝送線７２を介しローカル通信にて、電力監視装置３に送信する。
【００６０】
以上が、開閉装置２の動作である。
【００６１】
［Ｂ．電力監視装置３の動作］
次に、電力監視装置３の動作を説明する。電力監視装置３は、伝送線７１ａ、７１ｂおよび伝送線７２を介し、開閉装置２から検出電圧データＶａ（電力供給線９１の電圧に関するデータ）、検出電圧データＶｂ（電力供給線９２の電圧に関するデータ）、開閉検出信号Ｕ（開閉器２１の開路状態、閉路状態を示す信号）を受信する。電力監視装置３は、電力供給線９１の電圧、電力供給線９２の電圧、開閉器２１の開路状態、閉路状態を出力するとともに警報を出力する。
【００６２】
電力監視装置３の制御部３５は、以下の処理を実行する。電力監視装置３の制御部３５は、図４に示すプログラムに従って動作を行う。図４に示すプログラムは、電力監視装置３の制御部３５に内蔵される。図４に示すプログラムは、電力監視装置３の制御部３５により、一定周期ごとに繰り返し継続的に実行される。
【００６３】
（ステップＳ０１：検出電圧データＶａを受信する）
最初に制御部３５は、受信部３１を制御し開閉装置２から、電力供給線９１の電圧に関するデータである検出電圧データＶａを受信する。検出電圧データＶａは、電圧検出部２２ａから伝送線７１ａを介し、電力供給線９１の電圧に重畳させて電力線搬送通信にて送信される。受信部３１は、電力供給線９１の供給電力の電圧に重畳させて送信された検出電圧データＶａを抽出する。制御部３５は、受信部３１にて抽出された検出電圧データＶａを受信する。
【００６４】
（ステップＳ０２：検出電圧データＶｂを受信する）
次に制御部３５は、受信部３１を制御し開閉装置２から、電力供給線９２の電圧に関するデータである検出電圧データＶｂを受信する。検出電圧データＶｂは、電圧検出部２２ｂから伝送線７１ｂを介し、電力供給線９２の電圧に重畳させて電力線搬送通信にて送信される。受信部３１は、電力供給線９２の供給電力の電圧に重畳させて送信された検出電圧データＶｂを抽出する。制御部３５は、受信部３１にて抽出された検出電圧データＶｂを受信する。
【００６５】
（ステップＳ０３：開閉検出信号Ｕを受信する）
次に制御部３５は、受信部３１を制御し開閉装置２から、開閉器２１の開路状態、閉路状態を示す信号である開閉検出信号Ｕを受信する。開閉検出信号Ｕは、開閉検出部２３から伝送線７２を介し、ローカル通信にて送信される。
【００６６】
（ステップＳ０４：電力供給線９１、電力供給線９２、開閉器２１の状態を出力する）
次に制御部３５は、出力部３３を制御し、電力供給線９１の電圧、電力供給線９２の電圧、開閉器２１の開路状態、閉路状態を出力する。出力部３３は、表示および、または電文により、電力供給線９１の電圧および充電非充電、電力供給線９２の電圧および充電非充電、開閉器２１の開路状態、閉路状態を出力する。図５に出力部３３から出力される表示の例を示す。
【００６７】
電力供給線９１の電圧および充電非充電にかかる出力は、ステップＳ０１にて受信した電力供給線９１の電圧に関するデータである検出電圧データＶａに基づき作成される。電力供給線９２の電圧および充電非充電にかかる出力は、ステップＳ０２にて受信した電力供給線９２の電圧に関するデータである検出電圧データＶｂに基づき作成される。開閉器２１の開路状態、閉路状態にかかる出力は、ステップＳ０３にて受信した開閉器２１の開路状態、閉路状態を示す信号である開閉検出信号Ｕに基づき作成される。
【００６８】
（ステップＳ０５：電力供給線９２に異常な通電があるか判断する）
次に、次に制御部３５は、電力供給線９２に異常な通電があるかの判断を行う。制御部３５は、以下の３つの条件にあてはまる場合、電力供給線９２に異常な通電がされているものと判断する。
条件１：開閉検出信号Ｕ：開閉器２１が開路状態
検出電圧データＶａ≧Ｖｔ１、検出電圧データＶｂ≧Ｖｔ１
条件２：開閉検出信号Ｕ：開閉器２１が開路状態
検出電圧データＶａ≦Ｖｔ２、検出電圧データＶｂ≧Ｖｔ１
条件３：開閉検出信号Ｕ：開閉器２１が閉路状態
検出電圧データＶａ≧Ｖｔ１、検出電圧データＶｂ≦Ｖｔ２
Ｖｔ１、Ｖｔ２は、予め設定された電圧値である。電力供給線９１または９２の電圧がＶｔ１以上である場合には充電状態であると判断する。電力供給線９１または９２の電圧がＶｔ２以下である場合には非充電状態であると判断する。
【００６９】
制御部３５が、電力供給線９２に異常な通電がされていると判断した場合（ステップＳ０５のＹＥＳ）、ステップＳ０６に移行する。制御部３５が、電力供給線９２に異常な通電がされていると判断しない場合（ステップＳ０５のＮＯ）、ステップＳ０７に移行する。
【００７０】
（ステップＳ０６：警報出力部３４から警報を出力する）
ステップＳ０５にて電力供給線９２に異常な通電がされていると判断された場合、制御部３５は、警報信号Ａ１（電力供給線９２が異常通電状態であることを警告する警報信号）を警報出力部３４に送信する。警報出力部３４は、電力供給線９２に異常な通電がされていることを示す警報を警報音、警報表示、通信により出力する。作業者は、この警報により電力供給線９２に異常な通電がされていることを認識し、より安全に電力供給線９１、９２、開閉装置２のメンテナンス作業を行う。
【００７１】
（ステップＳ０７：検出電圧データＶａにかかる通信信号の電圧を検出する）
次に制御部３５は、監視部３２を制御し、伝送線７１ａを介し開閉装置２の電圧検出部２２ａから受信した検出電圧データＶａにかかる通信信号の電圧を測定する。制御部３５は、検出電圧データＶａにかかる通信信号の電圧を検出する。
【００７２】
（ステップＳ０８：検出電圧データＶｂにかかる通信信号の電圧を検出する）
次に制御部３５は、監視部３２を制御し、伝送線７１ｂを介し開閉装置２の電圧検出部２２ｂから受信した検出電圧データＶｂにかかる通信信号の電圧を測定する。制御部３５は、検出電圧データＶｂにかかる通信信号の電圧を検出する。
【００７３】
（ステップＳ０９：検出電圧データＶａまたはＶｂが無信号状態であるか判断する）
次に制御部３５は、検出電圧データＶａまたはＶｂにかかる通信信号が無信号状態であるか判断する。制御部３５は、ステップＳ０７にて検出した検出電圧データＶａにかかる通信信号の電圧、ステップＳ０８にて検出した検出電圧データＶａにかかる通信信号の電圧が、予め設定された電圧値であるＶｔ３以下である場合に、通信信号が無い無信号状態であると判断する。制御部３５は、検出電圧データＶａにかかる通信信号の電圧、検出電圧データＶｂにかかる通信信号の電圧の少なくとも一方が無信号状態であるか判断する。
【００７４】
制御部３５が、検出電圧データＶａまたはＶｂが無信号状態であると判断した場合（ステップＳ０９のＹＥＳ）、ステップＳ１０に移行する。制御部３５が、検出電圧データＶａまたはＶｂが無信号状態であると判断しない場合（ステップＳ０９のＮＯ）、一連のプログラムを終了する。
【００７５】
（ステップＳ１０：警報出力部３４から警報を出力する）
ステップＳ０９にて検出電圧データＶａまたはＶｂが無信号状態であると判断された場合、制御部３５は、警報信号Ａ２（検出電圧データＶａまたはＶｂが無信号状態であることを警告する警報信号）を警報出力部３４に送信する。警報出力部３４は、検出電圧データＶａまたはＶｂが無信号状態であることを示す警報を警報音、警報表示、通信により出力する。作業者は、この警報により検出電圧データＶａまたはＶｂが無信号状態であるため、電力供給線９１または電力供給線９２の電圧が正確に受信されていないことを認識し、より安全に電力供給線９１、９２、開閉装置２のメンテナンス作業を行う。その後、制御部３５は、一連のプログラムを終了する。
【００７６】
以上が、電力監視装置３の動作である。上記のように電力監視装置３の出力部３３により、電力供給線９１の電圧、電力供給線９２の電圧、開閉器２１の開路状態、閉路状態が出力され、警報出力部３４により電力供給線９２に異常な通電がされていること、検出電圧データＶａまたはＶｂが無信号状態であることを示す警報が出力されるので、作業者は、警報に基づき、より安全に電力供給線９１、９２、開閉装置２のメンテナンス作業を行うことができる。
【００７７】
［２−３．効果］
（１）本実施形態によれば、電力監視システム１は、電力を供給する第１の電力供給線９１の電圧を検出する第１の電圧検出部２２ａと、第１の電力供給線９１に、一次側を接続された開閉器２１と、開閉器２１の二次側に接続された第２の電力供給線９２の電圧を検出する第２の電圧検出部２２ｂと、第１の電圧検出部２２ａ、第２の電圧検出部２２ｂから送信された信号に基づき、第１の電力供給線９１の電圧、第２の電力供給線９２の電圧、および開閉器２１の開路状態、閉路状態を出力する電力監視装置３と、を有するので、より確実にメンテナンスの対象となる電力供給線の充電、非充電状態を検出することができる電力監視システム１を提供することができる。
【００７８】
作業者は、出力された第１の電力供給線９１の電圧、第２の電力供給線９２の電圧、開閉器２１の開路状態、閉路状態を認識し、より安全に電力供給線９１、９２、開閉装置２のメンテナンス作業を行うことができる。
【００７９】
（２）本実施形態によれば、第１の電圧検出部２２ａからの信号が送信される第１の伝送線７１ａ、第２の電圧検出部２２ｂからの信号が送信される第２の伝送線７１ｂの電圧のうち少なくとも一方を検出し、検出した電圧が所定の電圧以下であると判断した場合に、警報信号を出力するので、作業者は、この警報信号により検出電圧データＶａまたはＶｂが無信号状態であり、電力供給線９１または電力供給線９２の電圧が正確に受信されていないことを認識し、より安全に電力供給線９１、９２、開閉装置２のメンテナンス作業を行うことができる。
【００８０】
（３）本実施形態によれば、電力監視装置３は、第１の電圧検出部２２ａ、第２の電圧検出部２２ｂから送信された信号、および開閉検出部２３の開路状態、閉路状態に基づき、電力供給線９２に異常な通電があると判断された場合に、警報信号が出力されるので、作業者は、この警報信号により電力供給線９２に異常な通電がされていることを認識し、より安全に電力供給線９１、９２、開閉装置２のメンテナンス作業を行うことができる。
【００８１】
（４）本実施形態によれば、第１の電圧検出部２２ａからの信号、第２の電圧検出部２２ｂからの信号のうち少なくとも一方の信号が、電力供給線の電圧に重畳され送信されるので、新たに第１の電圧検出部２２ａからの信号または第２の電圧検出部２２ｂからの信号を送信するための伝送線を設ける必要がない。
【００８２】
第１の電圧検出部２２ａからの信号または第２の電圧検出部２２ｂからの信号は電力線搬送にかかる通信により既存の電力供給線を用いて送信される。このため、新たな伝送線を設ける必要がなく、設備費用、工事費用を低コストに抑えることができる。設備費用、工事費用を低コストに抑えることができるため、大掛かりなシステムとなることを避けたい低圧電力システムにも容易に対応することができる。
【００８３】
［他の実施形態］
本発明の変形例を含めた実施形態を説明したが、これらの実施形態は例として提示したものであって、発明の範囲を限定することを意図していない。これら実施形態は、その他の様々な形態で実施されることが可能であり、発明の要旨を逸脱しない範囲で、種々の省略や置き換え、変更を行うことができる。これらの実施形態やその変形は、発明の範囲や要旨に含まれると同様に、特許請求の範囲に記載された発明とその均等の範囲に含まれるものである。以下は、その一例である。
【００８４】
（１）上記実施形態では、電圧検出部２２ａ、２２ｂは、開閉装置２を構成する筐体の内部に配置されるものとしたが、電圧検出部２２ａは開閉装置２外部の電力供給線９１の近傍に、電圧検出部２２ｂは開閉装置２外部の電力供給線９２の近傍に、配置されるものであってもよい。
【００８５】
（２）上記実施形態では、送信部２２２ａ、２２２ｂは、それぞれ検出電圧データＶａを電力供給線９１の電圧に重畳させ、検出電圧データＶｂを電力供給線９２の電圧に重畳させ、電力線搬送通信にて電力監視装置３に送信するものとしたが、検出電圧データＶａ、Ｖｂとも、電力供給線９１または電力供給線９２のいずれか一方の電圧に重畳させて電力線搬送通信にて電力監視装置３に送信するものとしてもよい。
【００８６】
（３）上記実施形態では、送信部２２２ａ、２２２ｂは、それぞれ検出電圧データＶａ、Ｖｂを電力線搬送通信にて電力監視装置３に送信するものとしたが、検出電圧データＶａ、Ｖｂの送信は電力線搬送通信にて行われるものに限られない。検出電圧データＶａ、Ｖｂの送信は、例えば、周波数変調（ＦＳＫ）、位相変調（ＰＳＫ）にかかる低圧の電圧によるローカル通信により行われるものであってもよい。
【００８７】
（４）上記実施形態では、開閉検出信号Ｕはローカル通信にて送信されるものとしたが、開閉検出信号Ｕの送信は、ローカル通信によるものに限られない。開閉検出信号Ｕは、例えばインターネット等の通信網を用いて送信されてもよい。また、開閉検出信号Ｕは、電力供給線９１または電力供給線９２の電圧に重畳させた電力線搬送通信により、電力監視装置３に送信されるものであってもよい。
【００８８】
（５）上記実施形態では、監視部３２により検出電圧データＶａ、Ｖｂにかかる通信信号の電圧を測定し、検出電圧データＶａ、Ｖｂにかかる通信信号の有無を判別するようにしたが、これに加え、電力線搬送にて検出電圧データＶａ、Ｖｂが重畳させて送信される電力供給線９１、９２の供給電力の電圧を測定するようにしてもよい。このように構成することで、電圧検出部２２ａ、２２ｂと電力監視装置３で、二重に電力供給線９１、９２の供給電力の電圧を測定することができ、より確実に電力供給線９１、９２の供給電力の電圧を確認することができる。
【００８９】
（６）上記実施形態では、開閉装置２の外部に電力監視装置３を設け、電力監視装置３が受信部３１、監視部３２、出力部３３、警報出力部３４、制御部３５を有するように構成した。しかしながら、図６に示すように開閉装置２内に受信部３１、監視部３２、出力部３３、警報出力部３４、制御部３５を有するように構成してもよい。
【００９０】
（７）上記実施形態では、開閉器２１の開路状態、閉路状態が開閉検出部２３により検出され、電力監視装置３へ送信されるものとしたが、作業者により開路状態、閉路状態とされる時に、開閉器２１の開路状態、閉路状態が、電力監視装置３の制御部３５に記憶されるようにしてもよい。
【符号の説明】
【００９１】
１・・・電力監視システム
２・・・開閉装置
３・・・電力監視装置
２１・・・開閉器
２２，２２ａ，２２ｂ・・・電圧検出部
２３・・・開閉検出部
３１・・・受信部
３２・・・監視部
３３・・・出力部
３４・・・警報出力部
３５・・・制御部
７１，７１ａ，７１ｂ，７２・・・伝送線
９１，９２・・・電力供給線
２２１，２２１ａ，２２１ｂ・・・測定部
２２２，２２２ａ，２２２ｂ・・・送信部
２３１・・・判別部
２３２・・・送信部
【図１】
2019154130.tif 000003
【図２】
2019154130.tif 000004
【図３】
2019154130.tif 000005
【図４】
2019154130.tif 000006
【図５】
2019154130.tif 000007
【図６】
2019154130.tif 000008